(57)【要約】【課題】個人の趣向を踏まえた演出効果を与えることを可能にし、他人の干渉を回避でき、また体感設備の設置及び入替えを容易にすることにある。【解決手段】映像装置１及び音響装置３が備えられ、且つサーバから伝送される映像装置１により映し出される映像や音響装置３から出力される音響に合せて予め設定された演出データが入力されると動作して圧縮空気を打ち出す空気砲を備えた特効装置４，５を建屋内の所定の個所に設置し、該空気砲から打ち出された圧縮空気により特定個所及び体感者に特定の演出効果を表現するようにしたものである。【選択図】　　図１
2004135789.tif 000002
【特許請求の範囲】
【請求項１】
映像装置及び音響装置が備えられ、且つサーバから前記映像装置により映し出される映像や前記音響装置から出力される音響に合せて設定された演出データが入力されると動作して圧縮空気を打ち出す圧縮空気放出装置を建屋内の所定の個所に設置し、該圧縮空気放出装置から打ち出された圧縮空気により特定個所又は体感者の少なくても一方に特定の演出効果を表現するようにしたことを特徴とする体感演出システム。
【請求項２】
請求項１記載の体感演出システムにおいて、前記建屋は、映画館、コンテナハウス又はこれに類したモジュールであることを特徴とする体感演出システム。
【請求項３】
請求項１記載の体感演出システムにおいて、前記圧縮空気放出装置の近傍に香り発生装置及び煙発生装置をそれぞれ設置し、前記圧縮空気放出装置より打ち出される圧縮空気に前記香り発生装置より発生する香り及び前記煙発生装置より発生する煙を混入させたことを特徴とする体感演出システム。
【請求項４】
請求項１記載の体感演出システムにおいて、前記圧縮空気放出装置の近傍に香り発生装置及び蒸気発生装置をそれぞれ設置し、前記圧縮空気放出装置より打ち出される圧縮空気に前記香り発生装置より発生する香り及び前記蒸気発生装置より発生する蒸気を混入させたことを特徴とする体感演出システム。
【請求項５】
請求項１、請求項３又は請求項４のいずれかに記載の体感演出システムにおいて、前記圧縮空気放出装置より打ち出される圧縮空気の温度を熱交換器により変化させるようにしたことを特徴とする体感演出システム。
【請求項６】
請求項１、請求項３又は請求項４のいずれかに記載の体感演出システムにおいて、前記圧縮空気放出装置より打ち出された圧縮空気を演出効果の表現後に吸引して前記建屋の外部に排出する吸引機を設けたことを特徴とする体感演出システム。
【請求項７】
請求項１記載の体感演出システムにおいて、前記建屋内の所定の個所に照明装置、冷温風装置、音響装置、体感椅子を体感機器としてそれぞれ設置し、これら各体感機器及び前記圧縮空気放出装置を個人の設定に合せて選択動作可能な操作装置を設けたことを特徴とする体感演出システム。
【請求項８】
請求項３記載の体感演出システムにおいて、前記建屋内の所定の個所に照明装置、冷温風装置、音響装置、体感椅子を体感機器としてそれぞれ設置し、これら各体感機器と前記圧縮空気放出装置、前記香り発生装置及び煙発生装置を個人の設定に合せて選択動作可能な操作装置を設けたことを特徴とする体感演出システム。
【請求項９】
請求項４記載の体感演出システムにおいて、前記建屋内の所定の個所に照明装置、冷温風装置、音響装置、体感椅子を体感機器としてそれぞれ設置し、これら各体感機器と前記圧縮空気放出装置、香り発生装置及び蒸気発生装置を個人の設定に合せて選択動作可能な操作装置を設けたことを特徴とする体感演出システム。
【請求項１０】
請求項７乃至請求項９のいずれかに記載の体感演出システムにおいて、前記各体感機器をサーバにより集中管理して個別に制御可能にしたことを特徴とする体感演出システム。
【発明の詳細な説明】
【０００１】
【発明の属する技術分野】
本発明は、劇場やアミューズメント施設（以下映画館と称す）、コンテナハウスなどの建屋内の空間に配設され、映像や音響に合せて特定の体感者に視覚、聴覚、感触など五感を通して演出効果を与える体感演出システムに関する。
【０００２】
【従来の技術】
最近、映画館においては、観客に対して体感による演出効果を与える目的で、映像や音響に合せて風や光、香りなどを体感空間に発生させる体感設備が設置されることがある。
【０００３】
かかる体感設備は、館内の広い空間全体に風や光、香りなどを発生させて演出効果をもたらすようにしたものであり、観客個々に対する演出効果を均等に与えるようにはなっていないため、個人の趣向を取入れた演出効果を与えることはできなかった。
【０００４】
因みに、従来の体感による演出効果を提供するものとしては、利用者個人に映像・画像と関連付けて香気を供給する香り供給システム（例えば、特許文献１参照）や映像音響装置に連動してファン風量を制御する空調装置（例えば、特許文献２参照）がある。
【０００５】
前者の香り供給システムは、利用者のベルト部分に香気発生部を備えたコンパクトケースを取付け、このコンパクトケースと鼻接続部とを導管により接続して利用者の鼻に香気を直接供給するようにしているため、利用者にとっては装備を身に付ける手間がかかると共に、違和感がある。また、後者の空調装置は、映像音響装置の音圧レベルに連動して室内ファンの風量を変化させるようにしたものであり、体感による演出効果としてあまり期待できるものではない。
【０００６】
一方、映画館に設ける様々な体感設備は、その映画館に合せた各々の基準や演出に合せて設置しなければならないため、統一的及び均一的な品質の設備機器の提供を受けることができないばかりでなく、体感設備を設置するには特殊な技術が必要であり、簡単に据付けることができなかった。
【０００７】
さらに、映画館は、不特定多数の人が同時に鑑賞を行なうため、飲食、喫煙、幼児やペットなど他人の鑑賞の妨げになるものを持ち込むことができなかった。
【０００８】
【特許文献１】
特表２００１−５０８８８８号公報
【０００９】
【特許文献２】
特開平５−１５７３１９号公報
【００１０】
【発明が解決しようとする課題】
このように従来の映画館のような大規模空間では、多数の観客と共有するため、体感による演出効果を個人の趣向に合せて得ることはできなかった。例えば風と光だけの演出効果を受入れ、香りについては止めてもらいたくても、予め映像及び音響に合せて設定された順序で体感設備が起動されるため、嗅ぎたくない匂いを嗅がなければならない。
【００１１】
また、大規模な体感空間に体感設備を設置する場合、一定した体感による演出効果を与えるには大規模な設備機器を設置しなければならないため、その搬入やコンテンツの切換が困難である。
【００１２】
本発明は上記のような事情に鑑みてなされたもので、個人の趣向を踏まえた演出効果を与えることができると共に、他人の干渉を避けることができ、また体感設備の設置及び入替えが容易な体感空間演出システムを提供することを目的とする。
【００１３】
【課題を解決するための手段】
本発明は上記の目的を達成するため、次のような手段により体感空間演出システムを構成する。
【００１４】
請求項１に対応する発明は、映像装置及び音響装置が備えられ、且つサーバから伝送される前記映像装置により映し出される映像や前記音響装置から出力される音響に合せて予め設定された演出データが入力されると動作して圧縮空気を打ち出す圧縮空気放出装置を建屋内の所定の個所に設置し、該圧縮空気放出装置から打ち出された圧縮空気により特定個所及び体感者に特定の演出効果を表現するようにしたものである。
【００１５】
請求項２に対応する発明は、請求項１に対応する発明の体感演出システムにおいて、前記建屋は、映画館、コンテナハウス又はこれに類したモジュールである。
【００１６】
請求項３に対応する発明は、請求項１に対応する発明の体感演出システムにおいて、前記圧縮空気放出装置の近傍に香り発生装置及び煙発生装置をそれぞれ設置し、前記圧縮空気放出装置より打ち出される圧縮空気に前記香り発生装置より発生する香り及び煙発生装置より発生する煙を混入させたものである。
【００１７】
請求項４に対応する発明は、請求項１記載の体感演出システムにおいて、前記圧縮空気放出装置の近傍に香り発生装置及び蒸気発生装置をそれぞれ設置し、前記圧縮空気放出装置より打ち出される圧縮空気に前記香り発生装置より発生する香り及び蒸気発生装置より発生する蒸気を混入させたものである。
【００１８】
請求項５に対応する発明は、請求項１、請求項３又は請求項４のいずれかに対応する発明の体感演出システムにおいて、前記圧縮空気放出装置より打ち出される圧縮空気の温度を熱交換器により変化させるようにしたものである。
【００１９】
請求項６に対応する発明は、請求項１、請求項３又は請求項４のいずれかに対応する発明の体感演出システムにおいて、前記圧縮空気放出装置より打ち出された圧縮空気を演出効果の表現後に吸引して前記建屋の外部に排出する吸引機を設けたものである。
【００２０】
請求項７に対応する発明は、請求項１に対応する発明の体感演出システムにおいて、前記建屋内の所定の個所に照明装置、冷温風装置、音響装置、体感椅子を体感機器としてそれぞれ設置し、これら各体感機器及び前記圧縮空気放出装置を個人の設定に合せて選択動作可能な操作装置を設けたものである。
【００２１】
請求項８に対応する発明は、請求項３に対応する発明の体感演出システムにおいて、前記建屋内の所定の個所に照明装置、冷温風装置、音響装置、体感椅子を体感機器としてそれぞれ設置し、これら各体感機器と前記圧縮空気放出装置、前記香り発生装置及び煙発生装置を個人の設定に合せて選択動作可能な操作装置を設けたものである。
【００２２】
請求項９に対応する発明は、請求項４に対応する発明の体感演出システムにおいて、前記建屋内の所定の個所に照明装置、冷温風装置、音響装置、体感椅子を体感機器としてそれぞれ設置し、これら各体感機器と前記圧縮空気放出装置、香り発生装置及び蒸気発生装置を個人の設定に合せて選択動作可能な操作装置を設けたものである。
【００２３】
請求項１０に対応する発明は、請求項７乃至請求項９のいずれかに対応する発明の体感演出システムにおいて、前記各体感機器をサーバにより集中管理して個別に制御可能にしたものである。
【００２４】
【発明の実施の形態】
以下本発明の実施の形態を図面を参照して説明する。
【００２５】
図１は本発明による体感演出システムの第１の実施形態を示す構成図である。
【００２６】
図１において、１００はミニ映画館のような小規模空間を有する建屋で、この建屋１００内の前方に映写装置１より放映される画像を映し出すスクリーン２が設けられ、このスクリーン２の両側とスクリーン２の手前中央、側壁の中央並びに後方上部には音響装置（スピーカ）３がそれぞれ設置されている。
【００２７】
また、スクリーン２の後方の映像鑑賞位置に複数個、本例では３個の体感椅子４が横並びにしてそれぞれ２列に配置されている。この場合、前列の体感椅子４と後列のそれらとが重合わないように互い違いに配置されている。
【００２８】
さらに、前列の各体感椅子４に対応する前方位置に第１の特効演出装置５がそれぞれ設置され、またスクリーン２の上部及び下部と建屋内の後方上部に第２の特効演出装置６がそれぞれ設置され、さらに各列の体感椅子４の一側方にサイドテーブルを兼ねた第３の特効演出装置７がそれぞれ設置されている。
【００２９】
一方、建屋１００の天井、前後左右の側壁及び床の外面には、図２及び図３に示すように冷風ダクト１０及び温風ダクト１１がそれぞれ巡回するように配設されると共に、各ダクトの適宜複数個所に送風ファン１２が配設され、さらに冷温風ダクト１０，１１の適宜個所に詳細を後述する各種体感用ドライブユニット１３が配設されている。
【００３０】
また、冷風ダクト１０及び温風ダクト１１に壁面、天井面、床面のそれぞれ複数箇所に流量調節弁１４をそれぞれ介して共通に接続した吹出しダクト１５が配設され、各個所の吹出しダクト１５の吹出し口から建屋１００内の小規模空間に図示しない空調機により温度調節された冷風や温風又はこれらの混合した風が吹出し可能になっている。
【００３１】
さらに、建屋１００の天井及び側壁の外面にファン１７により体感空間の空気を引込み口１８より引込む排気ダクト１６が配設され、この排気ダクト１６に各体感椅子４に組込まれた吸込みダクトが接続される。
【００３２】
上記体感椅子４及び第１の特効演出装置５及び第３の特効演出装置７は、図４及び図５（ａ），（ｂ）に示すような体感要素（又は演出要素）が備えられている。
【００３３】
体感椅子４の座及び背もたれ内部の所定の位置に、音響装置（スピーカ）４ａ、エアー吹出し装置４ｂ、エアークッション４ｃ、吸込みダクト４ｄ、発香装置７ｂがそれぞれ組み込まれている。
【００３４】
また、第１の特効演出装置５及びサイドテーブルを兼ねた特効演出装置７には、発煙装置７ａ、発香装置７ｂ、空気砲７ｃ、発光装置４ｅ、発煙ドライブユニット７ｄ、発香ドライブユニット７ｅ、空気砲ドライブユニット７ｆ、発光ドライブユニット７ｇ、空気引込みユニット７ｈ、音響ドライブユニット７ｉ、コンプレッサ７ｊ及びコンプレッサドライブユニット７ｋが所定の位置に設けられている。
【００３５】
これらの体感要素は一つの箱の中にセットされ、持ち運び、設置が簡易にしてある。
【００３６】
さらに、第２の特効演出装置６には、発光装置４ｅと発煙装置７ａが所定の位置に設けられている。
【００３７】
なお、最後列のサイドテーブルを兼ねた特効演出装置７には、空気砲７ｃ及び発光装置４ｅが不要なため、省略されている。
【００３８】
図６はサイドテーブル上に設置されたコントローラによる映像コンテンツ、音響コンテンツと体感要素の個別選択による制御系を示す構成図である。
【００３９】
図６に示すように配信センターに設置されたメインサーバ５４には、映像コンテンツ及び音響コンテンツに対応した体感コンテンツが予め構築され、視聴者がコントローラ５１の表示パネル５２により視聴するコンテンツを選択するとメインサーバ５４から映像コンテンツ及び音響コンテンツとこれらのコンテンツと対になっている体感コンテンツ（データ）が選択され、各コンテンツデータが端末サーバ５３に転送される。
【００４０】
次にコントローラ５１の表示パネル５２により、香り、煙、空気砲、光などの各種演出のオン、オフを選択すると、その演出の個別データが端末サーバ５３に転送されると、この端末サーバ５３より個別設定された各演出データが映像、音響に合せて各体感要素のドライブユニットに配信される。各ドライブユニットは演出データを受信すると各体感要素を起動する。
【００４１】
さらに、表示パネル５２には図示していないが、飲食の注文をするとその注文データがコントローラ５１より配信センタ側の飲食注文用サーバに送信され、注文端末画面で注文を確認後、支払い金額などが表示されるようになっている。
【００４２】
ここで、上記のような構成の体感演出システムにおいて、体感要素（演出要素）個々の機能について詳細に説明する。
【００４３】
まず、風による体感演出方法について述べるに、通常は弁１４が閉じられた状態で、冷風ダクト１０及び温風ダクト１１内を冷風及び温風がファン１２により循環している。この場合、空調機により２系統の冷温風の温度がそれぞれ調整されている。このことにより、余熱時間が必要なく、常に冷風、温風が吹出せる状態になっている。
【００４４】
このような状態にあるとき、各種体感用ドライブユニット１３が配信センタから演出に合せて送信されるデータを受信し、弁１４が開くことにより体感空間に勢いのある冷温風を吹出しダクト１５を通して送り込むことができる。この場合、弁１４の開度を制御することにより、冷温風を組合せた風を送込むことができる。
【００４５】
従って、冷風ダクト１０及び温風ダクト１１を循環する温度調節された冷風及び温風を壁面、天井面、床面のあらゆる方向から吹出しダクト１５の吹出し口から吹出すことができるので、例えばゴーストが出現するシーンの前に必ず冷気を体感空間に流すなどの演出を行なうことが可能となり、体感者に冷気が流れてきたときにゴーストが出現するという条件反射を起こさせることができる。
【００４６】
一方、第１の特効演出装置５及びサイドテーブルを兼ねた第３の特効演出装置７に組込まれた空気砲７ｃは、四方が囲まれた箱のようなものに一方向にのみ空気の放出が可能な穴を有し、この箱にエアコンプレッサより空気を供給した状態で瞬間的に一定の圧力を加えることにより、一方向に向けて設けられた穴より圧縮空気が放出可能になっている。
【００４７】
例えば、布状の又は弾性力のある材質で構成された箱をばちまたは一瞬の圧力がかかるものによって、その材質を変化させて内包された空気を圧縮し、解放された一方向より放出する。この空気砲７ｃより放出された圧縮空気は拡散することなく、特定の個所に風圧として到達するので、目的対象物又は体感者若しくは双方に風圧力としての演出を行なうことができる。
【００４８】
従って、空気砲ドライブユニット７ｆが配信センタのメインサーバから送信される演出に合せたデータを受信すると空気砲７ｃより圧縮空気が放出され、例えば擬似的に何かに当たった感じや風などの表現を行なうことができる。
【００４９】
また、第１の特効演出装置５及びサイドテーブルを兼ねた第３の特効演出装置７に組込まれた発煙装置７ａ及び発香装置７ｂは、空気砲７ｃより放出された圧縮空気に煙や香りを混合して様々な演出効果を加味するもので、発煙ドライブユニット７ｄ及び発香ドライブユニット７ｅが配信センタのメインサーバから送信される演出に合せたデータを受信すると、煙や香りを発生して空気砲より圧縮空気に混入させて放出することにより、体感者に対して一定の演出効果を与えることができる。
【００５０】
この場合、空気砲７ｃの発射口に弁を設け、この弁を圧縮空気及び煙や香りの未発射時には閉じ、発射時に弁を開くようにしておけば、必要時以外は空気砲７ｃ内に滞留させることができる。
【００５１】
また、色の付いた発光装置４ｅを発煙装置７ａと併用することにより、各種煙の演出を行なうことができる。すなわち、配信センターのメインサーバから送信される演出に合せたデータを発煙ドライブユニット７ｄ及び発光ドライブユニット７ｇが受信するとタイミングや量が調整され、例えば砂埃なら黄色の発光と煙との組合せ、また吹雪なら白色の発光と煙との組合せ、炎なら赤色の発光と煙との組合せにより演出を行なう。
【００５２】
さらに、第１の特効演出装置５及びサイドテーブルを兼ねた第３の特効演出装置７に組込まれたエアコンプレッサ７ｊは、配信センタのメインサーバから送信される演出に合せたデータをエアドライブユニット７ｋにより受信するとタイミングや噴出量が調整されて細いノズルより例えば顔などに軽くエアーを吹きかけて軽く触れられた感覚を表現する場合に使用される。
【００５３】
第２の特効演出装置６は、発煙装置７ａと発光装置４ｅを備え、前述同様に霧や煙、埃や炎などを発生させる演出に使用される。
【００５４】
次に体感椅子４について述べる。この体感椅子４には、映像と連動した動きを演出するモーションチェアー、スピーカ４ａを埋め込み、音により振動を起こすボディーソニックや感触を表現するエアー吹出し装置４ｂ、エアークッション４ｃおよび発香装置７ｂが組込まれている。例えばエアー吹出し装置４ｂは前述した顔などにエアーを吹付ける演出に用いられ、またエアーにより椅子が膨らんだり、縮んだりするエアークッション４ｃは圧迫感や物の存在を表現する演出に用いられる。また、発香装置７ｂは香りの持続性が必要な場合に使用する。
【００５５】
また、耳横にスピーカを取付けることにより小さな音の再現が可能となり、例えば羽音など今までの映画館では大音量で表現したものを実際の羽音のように他人には聞こえず、本人のみに聞こえる表現が可能になる。これらの装置は配信センタのメインサーバから送信される演出に合せたデータを音響ドライブユニット７ｉが受信することで再現される。
【００５６】
さらに、体感椅子４に組込まれた吸込みダクト４ｄは、空気砲７ｃより放出された圧縮空気、発煙装置７ａ及び発香装置７ｂから煙や香りを吸込んで排気ダクトに逃がすことで、消臭及び演出効果の消失が迅速化し、次の体感演出に備えることができる。
【００５７】
このように本実施形態では、映像や音響に合せて風、光、煙、香りあるいは肌に触れる感触などを体感者の五感に訴える体感要素及び演出要素をパッケージ化して小空間に設置可能にし、且つ映像装置及び音響装置の演出に合せて配信センタのメインサーバから送信される演出データの受信により各体感要素（演出要素）を制御するようにしたので、統一的及び均一的な品質の体感演出効果を得ることができ、且つ各種体感要素及び演出要素の設置が容易になると共に、コンテンツの切替えによる体感要素（演出要素）の新設置が不要、又は入替えが容易である。
【００５８】
また、体感要素として空気砲の原理を利用した圧縮空気発生装置により圧縮空気を一定方向に向けて放出させ、且つ発煙装置と発香装置を組合せることにより、各演出効果を目的個所に表現し、さらにその効果を空気中に持続させることなく、座席又はその後方に設けた吸引ダクトにより消失させるようにしたので、煙や香りなどの効果の持続や拡散を防ぎ、周りへの影響を最小限に止めることができる。
【００５９】
さらに、映像装置及び音響装置に同期した各体感要素の必要性を体感者の傍に置かれたコントローラにより自由に選択操作することができるので、個人の趣向を踏まえた演出効果を与えることができると共に、他人の干渉を避けることが可能となる。例えば、香りの表現が必要ない場合には、発香操作をオフにすることで、香りの発生を止めることができる。
【００６０】
上記実施形態では、図６に示すように配信センタのメインサーバ５４から配信されるデータを一つの演出空間に対応させて設けられた端末サーバ５３に転送し、この端末サーバ５３から送信される演出データにより映像装置、音響装置及び各種の体間要素及び演出要素をドライブユニットを介して制御するようにしたが、図７に示すように配信センターのメインサーバ５４から配信される演出データにより映像装置、音響装置及び各種の体間要素及び演出要素をドライブユニットを介して直接制御するようにしてもよい。
【００６１】
上記実施形態では、映画館を対象とした体感演出システムの構成を述べたが、各体感要素から発生させる演出効果を体感者個々に対して同じ条件で一定の演出を体感するには、小空間に設置することが有効である。このようにすれば、体感者の体感する位置や対象物の感じる位置、あるいは体感要素から受ける演出効果の違いを小さくすることができる。また、個人的な好みにより演出を選択することも可能となり、各体感要素の小型化、省力化により小空間に設置することができる。
【００６２】
この小空間を形成するものとしてコンテナを利用し、このコンテナ内に前述した各体感要素を設置して１単位の空間とすることにより、装置の標準化、体感の標準化、設置の標準化が可能となり、均一な演出効果を得ることができる。また、各体感要素を制御する装置を別のコンテナに設置すれば、各体感要素を設置した複数のコンテナを連接して配置した場合、これら各コンテナ内の体感要素を集中制御することが可能となり、管理の集中化及び簡易化を図ることができる。
【００６３】
また、これらのコンテナに例えば台車を取付けて走行可能にすることにより、移動が簡易になり、建造物の設置、移設、増設が簡易になる。
【００６４】
【発明の効果】
以上述べたように本発明によれば、個人の趣向を踏まえた演出効果を与えることができると共に、他人の干渉を避けることができ、また体感設備の設置及び入替えが容易な体感空間演出システムを提供できる。
【図面の簡単な説明】
【図１】本発明による体感演出システムの第１の実施形態を示す構成図。
【図２】同実施形態における建屋に配置した冷温風ダクトの配置構成図。
【図３】同じく冷温風ダクトの系統図。
【図４】（ａ）は同実施形態における特効装置の空気砲及び体感椅子に組込まれた圧縮空気吸込みダクト部の配置を示す構成図、（ｂ）は（ａ）に示す前列の体感椅子及びサイドテーブルを断面して示す正面図。
【図５】（ａ）は同実施形態における体感椅子に組込まれた各種の体感要素を説明するための配置を示す構成図、（ｂ）は（ｂ）に示す前列の体感椅子及びサイドテーブルを断面して示す正面図。
【図６】同実施形態における各体感要素及び演出要素の制御系を示すブロック図。
【図７】本発明の他の実施形態における各体感要素及び演出要素の制御系を示すブロック図。
【符号の説明】
１…映写装置
２…スクリーン
３…音響装置
４…体感椅子
４ａ…音響装置（スピーカ）
４ｂ…エアー吹出し装置
４ｃ…エアークッション
４ｄ…吸込みダクト
４ｅ…発光装置
５…第１の特効演出装置
６…第２の特効演出装置
７…第３の特効演出装置
７ａ…発煙装置
７ｂ…発香装置
７ｃ…空気砲
７ｄ…発煙ドライブユニット
７ｅ…発香ドライブユニット
７ｆ…空気砲ドライブユニット
７ｇ…発光ドライブユニット
７ｈ…空気引込みユニット
７ｉ…音響ドライブユニット
７ｊ…コンプレッサ
７ｋ…コンプレッサドライブユニット
１０…冷風ダクト
１１…温風ダクト
１２…送風ファン
１４…流量調節弁
１５…吹出しダクト
１６…排気ダクト
１７…ファン
１８…引込み口
５１…コントローラ
５２…表示パネル
５３…端末サーバ
５４…メインサーバ
【図１】
2004135789.tif 000003
【図２】
2004135789.tif 000004
【図３】
2004135789.tif 000005
【図４】
2004135789.tif 000006
【図５】
2004135789.tif 000007
【図６】
2004135789.tif 000008
【図７】
2004135789.tif 000009